(57)【要約】【課題】  本発明は釣り用テントに関し、テントを展開乃至折り畳み収縮する際に、前記スライド部材のロックの設定，解除を容易にしたテントを提供することを目的とする。【解決手段】  折り畳み式のフレームと、このフレームの内側に張設されたシェードを備え、前記フレームは、上端に放射状に伸びる上部連結ポールが枢着され、下端にシェードの上部に設けた係合部が接続されるコネクタが設けられた連結部材と、一端が前記上部連結ポールに枢着された支持棒の他端側が枢着され、連結部材の軸部に沿って上下動可能なスライド部材を有し、前記連結部材に、スライド部材に設けた係止孔に係止して、フレームの展開状態を維持するストッパを出没可能に設けたことを特徴とする。【選択図】    図１
2008031771.tif 000002
【特許請求の範囲】
【請求項１】
折り畳み式のフレームと、このフレームの内側に張設されたシェードを備え、
前記フレームは、上端に放射状に伸びる上部連結ポールが枢着され、下端にシェードの上部に設けた係合部が接続されるコネクタが設けられた連結部材と、
一端が前記上部連結ポールに枢着された支持棒の他端側が枢着され、連結部材の軸部に沿って上下動可能なスライド部材を有し、
前記連結部材に、スライド部材に設けた係止孔に係止して、フレームの展開状態を維持するストッパを出没可能に設けたことを特徴とする釣り用テント。
【請求項２】
前記連結部材に、前記ストッパと係止孔との係止状態を解除する操作体を設けたことを特徴とする請求項１に記載の釣り用テント。
【請求項３】
前記ストッパは、スライド部材に枢着された支持棒の外側端の高さより低い位置で、当該スライド部材に設けた係止孔に係止することを特徴とする請求項１または請求項２に記載の釣り用テント。                                                                             
【発明の詳細な説明】
【技術分野】
【０００１】
本発明は、野池等で雨や風等を避け乍ら釣りを行う際に使用する釣り用テントに関する。
【背景技術】
【０００２】
従来、野池等で雨や風等を避け乍ら釣りを行う際に、釣り用テント（以下、「テント」という）が使用されている。
特許文献１に開示されるようにこの種のテントは、傘の原理を導入して傘骨状のフレーム（骨材）と、このフレームで折り畳み及び展開されるシェード（テント布）とで全体がはえ蚊帳状に形成され、容易に折り畳み及び展開可能な構造とされている。
【０００３】
図５乃至図８は特許文献１に開示されたテントを示し、この従来例は、自動傘と類似した作動をする折り畳み式のフレーム１と、このフレーム１の内側に張設されたシェード３を備え、図５及び図６に示すようにフレーム１は、上端に放射状に伸びる上部連結ポール５を枢着して、下端にはストッパ７を装着すると共に、シェード３の上端の中心部から延びた連結ロープが接続されるロープコネクタ９を一体に形成した連結部材１１と、一端が前記上部連結ポール５に枢着される支持棒１３の他端側が枢着されて、連結部材１１の軸部に沿って上下動可能なスライド部材１５と、連結部材１１の軸部に装着され、テント１７の設置時にスライド部材１５と連結部材１１の上端との間に所定の間隙を保持する弾性バネ１９とで構成されている。
【０００４】
尚、図５中、２１は連結部材１１の最上部にシェード３を固定する固定で、連結部材１１の上部にボルト締めされている。
そして、図７に示すように弾性バネ１９のバネ力でテント１７を広げた後、スライド部材１５を図８の如く下方へ押圧操作すると、スライド部材１５に連結されている支持棒１３の外側端２３が内側端２５の高さより高い位置となって、フレーム１全体がロックされるようになっている。
【特許文献１】特許第３７５２５４２号公報
【発明の開示】
【発明が解決しようとする課題】
【０００５】
しかし乍ら、既述したように前記テント１７は、スライド部材１５を図８の如く下端のストッパ７へと下方に押圧操作して、支持棒１３の外側端２３を内側端２５の高さより高い位置にすることでフレーム１全体をロックさせる構造上、スライド部材１５を下方へ押圧操作した際に、スライド部材１５とストッパ７との間に指を挟んで怪我をしてしまう虞があった。
【０００６】
また、ロックを解除する際には、スライド部材１５を上方へ操作しなければならないが、この操作時に、各部材の隙間に他方の手の指を挟んでしまう虞もある等、ロック機構の改善が要望されていた。
本発明は斯かる実情に鑑み案出されたもので、テントを展開乃至折り畳み収縮する際に、前記スライド部材のロックの設定，解除を容易にしたテントを提供することを目的とする。
【課題を解決するための手段】
【０００７】
斯かる目的を達成するため、請求項１に係るテントは、折り畳み式のフレームと、このフレームの内側に張設されたシェードを備え、前記フレームは、上端に放射状に伸びる上部連結ポールが枢着され、下端にシェードの上部に設けた係合部が接続されるコネクタが設けられた連結部材と、一端が前記上部連結ポールに枢着された支持棒の他端側が枢着され、連結部材の軸部に沿って上下動可能なスライド部材を有し、前記連結部材に、スライド部材に設けた係止孔に係止して、フレームの展開状態を維持するストッパを出没可能に設けたことを特徴とする。
【０００８】
そして、請求項２に係る発明は、請求項１に記載のテントに於て、前記連結部材に、前記ストッパと係止孔との係止状態を解除する操作体を設けたことを特徴とする。
また、請求項３に係る発明は、請求項１または請求項２に記載のテントに於て、前記ストッパは、スライド部材に枢着された支持棒の外側端の高さより低い位置で、当該スライド部材に設けた係止孔に係止することを特徴とする。
【発明の効果】
【０００９】
請求項１に係る発明によれば、スライド部材の係止孔に係止するストッパを設けたため、従来と異なり、強い力をかけてスライド部材を下方へ操作する必要がなくなり、指を部材の隙間に挟んでしまうことがない。
また、テントを折り畳み収縮する際にも、ストッパと係止孔とのロック状態を解除するだけで簡単にフレームを折り畳むことができるし、更に、請求項２に係る発明によれば、操作体の操作でストッパと係止孔とのロック状態を容易に解除することができるため、指を部材の隙間に挟んでしまうことがなく、更に、請求項３に係る発明によれば、支持棒の外側端が内側端の高さより低い位置でフレームが展開状態となってロックされるため、強い力をかけてスライド部材を下方へ操作する必要がなくなり、指を部材の隙間に挟んでしまうことがない。
【００１０】
因って、請求項１乃至請求項３に係る発明によれば、テントを展開乃至折り畳み収縮する際に、スライド部材のロックの設定，解除が容易となって作業性と安全性が著しく向上することとなった。
【発明を実施するための最良の形態】
【００１１】
以下、本発明の実施形態を図面に基づいて詳細に説明する。
図１乃至図４は請求項１乃至請求項３の一実施形態に係るテントを示し、図１及び図２に示すように本実施形態に係るテント３１は、自動傘と類似した作動をする折り畳み式のフレーム３３と、このフレーム３３で折り畳み及び展開されるシェード３５とで全体がはえ蚊帳状に形成されており、シェード３５の前面に、視界を確保し釣竿を振り操作するための開口部３７がシェード前面の大半を占める状態で大きく開口している。
【００１２】
尚、従来と同様、フレーム３３は繊維強化樹脂等の合成樹脂や金属で形成され、また、シェード３５はポリエステルタフタ等の合成樹脂のシートや布で形成されており、シェード３５には図示しないフロアが一体的に設けられている。
而して、図１乃至図４に示すようにフレーム３３は、連結部材３９と上部連結ポール４１，下部連結ポール４３，スライド部材４５，支持棒４７及び弾性バネ４９とで構成されており、連結部材３９は筒状に形成されて、その上部に設けた平面視円形状のフランジ部５１に、テント３１を張る際に放射状に延びる多数の上部連結ポール４１が枢着されている。
【００１３】
一方、連結部材３９の軸部の下端には、シェード３５の上部の中心部から延びる連結ロープ（係合部）５３が接続されるロープコネクタ５５が挿着されると共に、連結部材３９の下端側の周壁に１つのブロック状のストッパ５７が突出している。
そして、連結部材３９の軸部に筒状のスライド部材４５が上下動可能に取り付けられており、当該スライド部材４５の上部に設けたフランジ部５９に、上部連結ポール４１に対応して複数本の支持棒４７の内側端６１が回動可能に枢着されており、支持棒４７の外側端６３は、夫々、上部連結ポール４１の略中途部に枢着されている。そして、上部連結ポール４１の下端に、テント３１の脚部として機能する下部連結ポール４３が枢着部Ｓで回動可能に枢着されている。
【００１４】
更に、前記フランジ部５１，５９間の連結部材３９の軸部に、テント３１の設置時に当該軸部に沿って伸長してスライド部材４５を下方へ弾性付勢するコイル状の弾性バネ４９が巻装されており、この弾性バネ４９のバネ力を強く設定しておくと、図３に示すようにフレーム３３の展開時にスライド部材４５が前記ストッパ５７に当接してフレーム３３が展開するようになっており、フレーム３３が展開したとき、支持棒４７の外側端６３は内側端６１の高さより低い位置となるように構成されている。
【００１５】
また、斯様に弾性バネ４９のバネ力を強く設定しておかなくても、テント３１の設置時に弾性バネ４９は伸長してスライド部材４５を下方へ弾性付勢するため、前記スライド部材４５を下方へ軽く移動させたり、前記フランジ部５１を下方へ軽く押圧操作すれば、スライド部材４５が度当てのストッパ５７に当接するようになっている。
そして、図３に示すように連結部材３９の周壁に上下方向に設けたスリット状の開口部６４に、傘の下ハジキに相当する爪状のストッパ６５が出没可能に装着されている。
【００１６】
図３に示すようにストッパ６５は、傘の下ハジキリリースボタンに相当するストッパリリースボタン（操作体）６７と板バネ６９で断面略Ｕ字状に一体成形されており、この板バネ６９は連結部材３９の軸部内に装着され、一端側に設けたブロック状の凸部が連結部材３９の周壁に設けた係合孔７１に係合して連結部材３９の外側に突出することで前記ストッパ５７として機能し、板バネ６９の他端側に設けた前記ストッパリリースボタン６７が、前記開口部６４の下方に開口する開口部７３から外方へ突出している。
【００１７】
そして、図４の実線で示すようにストッパリリースボタン６７の非押圧時に、前記ストッパ６５は開口部６４から外方へ突出し、図３の二点鎖線で示すようにストッパリリースボタン６７を押圧操作すると、ストッパ６５は開口部６４内に隠れるようになっている。
また、上述したようにスライド部材４５が連結部材３９の軸部に沿って下降してくると、ストッパ６５はスライド部材４５によって連結部材３９内に押圧されるが、スライド部材４５の周壁には、前記開口部６４と略同一形状の係止孔７５が設けられており、図３の如くスライド部材４５がストッパ５７に当接する位置まで下がると、この係止孔７５が開口部６４と一致するようになっている。
【００１８】
そして、斯様に係止孔７５が開口部６４と一致すると、スライド部材４５による押圧力が解除されて、ストッパ６５は板バネ６９の復元力で開口部６４から外方へ突出して係止孔７５に係止するようになっており、ストッパ６５が係止孔７５に係止すると、展開したフレーム３３がロックされ、支持棒４７の外側端６３が内側端６１の高さより低い位置でロックされる。
【００１９】
また、テント３１を折り畳む際には、図４の二点鎖線で示すようにストッパ６５またはストッパリリースボタン６７を押圧操作してストッパ６５と係止孔７５との係止状態を解除し、スライド部材４５を弾性バネ４９のバネ力に抗して上方へ或る程度移動させた後、図２に示すようにテント３１の外方からフレーム３３全体を折り畳み収縮して、図示しないバンド等でこれを緊締しておけばよい。
【００２０】
本実施形態に係るテント３１はこのように構成されているから、非使用時は、上述したようにフレーム３３全体を折り畳み収縮して、バンド等で外周を緊締しておけばよい。
そして、緊締してあるバンドを釣場で解けば、図３に示すように弾性バネ４９のバネ力でスライド部材４５が下方へ弾性付勢されてストッパ５７に当接すると共に、係止孔７５が開口部６４と一致するため、開口部６４から外方へ突出したストッパ６５が係止孔７５に係止して展開したフレーム３３がロックされ、支持棒４７の外側端６３が内側端６１の高さより低い位置でロックされる。これにより、シェード３７も展開してロックされる。
【００２１】
また、弾性バネ４９のバネ力がさほど強く設定されていない場合にも、弾性バネ４９が伸長してスライド部材４５を下方へ弾性付勢しているため、この後、フランジ部５１を下方へ移動させたり、スライド部材４５を下方へ軽く移動させてスライド部材４５をストッパ５７に当接させれば、開口部６４から外方へ突出したストッパ６５が係止孔７５に係止して、展開したフレーム３３がロックされる。
【００２２】
そして、釣りを終えてテント３１を折り畳み収縮するには、図４の二点鎖線で示すようにストッパリリースボタン６７を押圧操作してストッパ６５と係止孔７５とのロック状態を解除し、スライド部材４５を弾性バネ４９のバネ力に抗して上方へ或る程度移動させた後、テント３１の外方からフレーム３３全体を折り畳み収縮して、外周をバンド等で緊締すればよい。
【００２３】
このように本実施形態に係るテント３１は、設置時に、弾性バネ４９のバネ力でスライド部材４５が下方へ弾性付勢されてストッパ５７に当接すると共に、ストッパ６５が係止孔７５に係止して展開したフレーム３３がロックされるように構成したので、従来に比しテント３１の展開が極めて容易である。
また、斯様にスライド部材４５がストッパ５７に当接するように弾性バネ４９のバネ力を強く設定していない場合にも、弾性バネ４９が伸長してスライド部材４５を下方へ弾性付勢しているため、この後、フランジ部５１を下方に軽く押圧操作してスライド部材４５をストッパ５７に当接させたり、スライド部材４５を軽く移動させてストッパ５７に当接させれば、ストッパ６５が係止孔７５に係止して展開したフレーム３３をロックさせることができるし、このとき、外側端６３が内側端６１の高さより低い位置でロックされるように構成したので、図５以下の従来例に比し操作が容易である。
【００２４】
即ち、既述したように図５以下の従来例は、図７に示すように弾性バネ１９のバネ力でテント１７を広げた後、強い力をかけて支持棒１３の外側端２３が内側端２５の高さより高い位置となるようにスライド部材１５を図８の如く下方へ押圧操作しなければならないが、斯様に強い力をかけてスライド部材１５を下方へ押圧操作すると、スライド部材１５とストッパ７との間に指を挟んで怪我をしてしまう虞があった。
【００２５】
しかし、本実施形態は、外側端６３が内側端６１の高さより低い位置で速やかにロックしてしまうように構成したので、図５の従来例の如く強い力をかけてスライド部材４５を下方へ操作する必要がなく、この結果、スライド部材４５とストッパ５７との間に指を挟んでしまう虞がない。
また、フランジ部５１を下方に押圧してスライド部材４５をストッパ５７に当接させる際にも、フランジ部５１を軽く押圧操作すればよく強い力を必要としない。
【００２６】
そして、テント３１を折り畳み収縮する際にも、図５以下の従来例と異なり、ストッパリリースボタン６７を押圧操作すれば、ストッパ６５と係止孔７５とのロック状態を解除することができるので、テント３１を展開乃至折り畳み収縮する際に、スライド部材４５のロックの設定，解除が容易となって作業性と安全性が著しく向上することとなった。
【図面の簡単な説明】
【００２７】
【図１】展開した請求項１乃至請求項３の一実施形態に係るテントの正面図である。
【図２】折り畳んだテントの正面図である。
【図３】展開したフレームの要部拡大断面図である。
【図４】折り畳んだフレームの要部拡大断面図である。
【図５】従来のテントに用いたフレームの分解斜視図である。
【図６】展開したテントの正面図である。
【図７】テントの設置時に於けるフレームの作動状態を示す正面図である。
【図８】テントの設置時に於けるフレームのロック状態を示す正面図である。
【符号の説明】
【００２８】
３１  テント
３３  フレーム
３５  シェード
３９  連結部材
４１  上部連結ポール
４３  下部連結ポール
４５  スライド部材
４７  支持棒
４９  弾性バネ
５１，５９  フランジ部
５３  連結ロープ
５５  ロープコネクタ
５７，６５  ストッパ
６１  支持棒の内側端
６３  支持棒の外側端
６４，７３  開口部
６７  ストッパリリースボタン
６９  板バネ
７１  係合孔
７５  係止孔                                                                               
【図１】
2008031771.tif 000003
【図２】
2008031771.tif 000004
【図３】
2008031771.tif 000005
【図４】
2008031771.tif 000006
【図５】
2008031771.tif 000007
【図６】
2008031771.tif 000008
【図７】
2008031771.tif 000009
【図８】
2008031771.tif 000010